(57)【要約】    【課題】  上部において区画した収容腔部の各区画に収集袋を収容保持することにより廃棄物等の分別が可能で、一方の収集袋の下部が他方側へ膨出しても容易に取り出し得る。    【解決手段】  直線状の区画体３２の両端に、箱状収容体１０の相対する上端縁に上方から嵌合して側方へ摺動し得る下方開口の溝状嵌合部３２ａを設ける。区画体３２に、一対の回動枠状体３４と区画体側保持部を設ける。区画体側保持部は固定挟圧部３２ｂと可動挟圧部３６からなる。収容腔部１０ａのうち、区画体３２の一方の側方部分及び他方の側方部分に上方開口状に収集袋Ａ・Ｂを収容した状態で、各収集袋Ａ・Ｂの開口縁部付近を、伏倒状態の回動枠状体３４と段部の間並びに区画体３２の固定挟圧部３２ｂと可動挟圧部３６の間で保持し得る。廃棄物等の収容により収集袋Ａ下部が他方側へ膨出しても、区画体３２を側方摺動させれば区画体３２に引っ掛かるのを避けて収集袋Ａを引き上げ得る。【選択図】      図２
2005104698.tif 000002
【特許請求の範囲】
【請求項１】
上方開口の収容腔部を備えた収容体と、
その収容体における収容腔部の上部の所定位置に架設され、収容腔部の上部を水平方向に区画する区画体と、
収容腔部のうち前記所定位置における区画体の一方の側方部分及び他方の側方部分にそれぞれ上方開口状に収集袋を収容した状態において、各収集袋の開口縁部付近を、収容体における収容腔部の上部周縁部付近及び区画体においてそれぞれ保持し得る、収容体側保持部及び区画体側保持部を備えてなり、
前記区画体は、収容体における収容腔部の上部に架設された状態での側方への摺動が可能であることを特徴とする分別収集装置。
【請求項２】
略Ｕ字状をなし、両基端部が収容体に回動可能に支持された回動枠状体を収容体側保持部として備え、その回動枠状体は、伏倒状態において収容体における収容腔部の上部周縁部付近に沿って位置して収集袋の開口縁部付近を収容体における収容腔部の上部周縁部付近との間で保持し得、前記回動枠状体を伏倒状態から上方に回動させることにより、前記のような収集袋の開口縁部付近の保持を解除することができる請求項１記載の分別収集装置。
【請求項３】
略Ｕ字状をなし、両基端部が区画体に回動可能に支持された回動枠状体を収容体側保持部として備え、その回動枠状体は、伏倒状態において収容体における収容腔部の上部周縁部付近に沿って位置して収集袋の開口縁部付近を収容体における収容腔部の上部周縁部付近との間で保持し得、前記回動枠状体を伏倒状態から上方に回動させることにより、前記のような収集袋の開口縁部付近の保持を解除することができる請求項１記載の分別収集装置。
【請求項４】
上記区画体が所定位置に位置し且つ回動枠状体が伏倒状態にある場合に区画体の前記側方摺動を阻止し得る移動阻止手段を、回動枠状体および／または収容体に備える請求項３記載の分別収集装置。
【請求項５】
上記区画体側保持部が、固定挟圧部と、その固定挟圧部に対し開閉可能な可動挟圧部からなり、それらの固定挟圧部と可動挟圧部の間に収集袋の開口縁部付近を保持し得るものである請求項１乃至４の何れかに記載の分別収集装置。
【請求項６】
上方開口の収容腔部を備えた収容体における収容腔部の上部の所定位置に架設されることにより、収容腔部の上部を水平方向に区画する分別収集用の区画体であって、
前記区画体は、前記収容体における収容腔部の上部の所定位置に架設され、収容腔部のうち区画体の一方の側方部分及び他方の側方部分にそれぞれ上方開口状に収集袋を収容した状態において、各収集袋の開口縁部付近を区画体において保持し得る区画体側保持部を備え、且つ、
前記区画体は、収容体における収容腔部の上部に架設された状態での側方への摺動が可能であることを特徴とする分別収集用区画体。
【請求項７】
上記区画体が、上記収容腔部のうち上記所定位置に位置した場合の区画体の一方の側方部分及び他方の側方部分にそれぞれ上方開口状に収集袋を収容した状態において、各収集袋の開口縁部付近を、収容体における収容腔部の上部周縁部付近及び区画体においてそれぞれ保持し得る、収容体側保持部及び区画体側保持部を備える請求項６記載の分別収集用区画体。
【請求項８】
略Ｕ字状をなし、両基端部が区画体に回動可能に支持された回動枠状体を収容体側保持部として備え、その回動枠状体は、伏倒状態において収容体における収容腔部の上部周縁部付近に沿って位置して収集袋の開口縁部付近を収容体における収容腔部の上部周縁部付近との間で保持し得、前記回動枠状体を伏倒状態から上方に回動させることにより、前記のような収集袋の開口縁部付近の保持を解除することができる請求項７記載の分別収集用区画体。    
【請求項９】
上記区画体が所定位置に位置し且つ回動枠状体が伏倒状態にある場合に区画体の前記側方摺動を阻止し得る移動阻止手段を、回動枠状体に備える請求項７記載の分別収集用区画体。
【請求項１０】
上記区画体側保持部が、固定挟圧部と、その固定挟圧部に対し開閉可能な可動挟圧部からなり、それらの固定挟圧部と可動挟圧部の間に収集袋の開口縁部付近を保持し得るものである請求項６乃至９の何れかに記載の分別収集用区画体。
【発明の詳細な説明】
【技術分野】
【０００１】
本発明は、複数の収集袋を収容保持して各種廃棄物等の分別収集を行うことができる分別収集装置及びそのような分別収集を可能とする分別収集用区画体に関する。
【背景技術】
【０００２】
特開平１１−９１９０３号公報（特許文献１）には、容器本体の開口部中央を横断して、一対の軸受けと、その下部にゴミ袋の密着防止のための凹凸面を上部より適宜の深さに設けた仕切板とを設けて容器本体内部を２つの分別収納部に区分し、前記各軸受けには各分別収納部の開口部上縁内周にゴミ袋の開口縁部を係着保持する袋抑え用の枠部材に設けた軸部を嵌装して各枠部材を容器本体の内周面との間でゴミ袋の開口縁を着脱可能に挟持して開口状態を維持するように構成すると共に、各枠部材の内周面にスーパーなどで提供されるプラスチック袋の提手を掛け止めする４個のフックを設けてなることを特徴とする分別ゴミ容器の発明が開示されている。
【０００３】
この分別ゴミ容器によれば、上部に設けられた仕切板により容器本体内部が区分された分別収納部にそれぞれゴミ袋を収容保持し、各ゴミ袋にゴミを分別収集することができる。
【特許文献１】特開平１１−９１９０３号公報
【発明の開示】
【発明が解決しようとする課題】
【０００４】
ところが、仕切板の両側のゴミ袋にゴミの分別収集を行った場合、両ゴミ袋に均等にゴミが収集されるとは限らないので、両ゴミ袋の上部は仕切板により分離されていても、一方のゴミ袋の下部が他方側に膨出することが生じがちである。その場合、下部が他方側に膨出したゴミ袋を上方に引き上げようとすると、その膨出部分が仕切板に引っ掛かり、ゴミ袋の引き上げが妨げられるおそれがある。
【０００５】
本発明は、従来技術に存した上記のような課題に鑑み行われたものであって、その目的とするところは、上部において区画した収容腔部における各区画にそれぞれ収集袋を収容保持することにより廃棄物等の分別が可能であり、而も、一方の収集袋の下部が他方側へ膨出しても、その収集袋を容易に上方に引き上げて収容腔部から取り出すことができる分別収集装置及びそのような分別収集を可能とする分別収集用区画体を提供することにある。
【課題を解決するための手段】
【０００６】
上記目的を達成する本発明の分別収集装置は、
上方開口の収容腔部を備えた収容体と、
その収容体における収容腔部の上部の所定位置に架設され、収容腔部の上部を水平方向に区画する区画体と、
収容腔部のうち前記所定位置における区画体の一方の側方部分及び他方の側方部分にそれぞれ上方開口状に収集袋を収容した状態において、各収集袋の開口縁部付近を、収容体における収容腔部の上部周縁部付近及び区画体においてそれぞれ保持し得る、収容体側保持部及び区画体側保持部を備えてなり、
前記区画体は、収容体における収容腔部の上部に架設された状態での側方への摺動が可能であることを特徴とする。
【０００７】
また、本発明の分別収集用区画体は、
上方開口の収容腔部を備えた収容体における収容腔部の上部の所定位置に架設されることにより、収容腔部の上部を水平方向に区画する分別収集用の区画体であって、
前記区画体は、前記収容体における収容腔部の上部の所定位置に架設され、収容腔部のうち区画体の一方の側方部分及び他方の側方部分にそれぞれ上方開口状に収集袋を収容した状態において、各収集袋の開口縁部付近を区画体において保持し得る区画体側保持部を備え、且つ、
前記区画体は、収容体における収容腔部の上部に架設された状態での側方への摺動が可能であることを特徴とする。
【０００８】
収容体における収容腔部の上部の所定位置に架設された区画体により、収容腔部の上部が水平方向に区画される。
【０００９】
収容腔部のうち前記所定位置における区画体の一方の側方部分及び他方の側方部分にそれぞれ上方開口状に収集袋を収容した状態において、収容体側保持部及び区画体側保持部により、各収集袋の開口縁部付近を、収容体における収容腔部の上部周縁部付近及び区画体においてそれぞれ保持することができる。このように区画体の両側において収容腔部内に収容してそれぞれ保持した収集袋により、可燃ごみ、空缶、プラスチックごみ等の各種廃棄物等の分別収集を行うことができる。
【００１０】
分別収集用区画体の場合、収容体における収容腔部の上部の所定位置に分別収集用区画体を架設することにより、収容腔部の上部が水平方向に区画される。
【００１１】
収容腔部のうち前記所定位置における区画体の一方の側方部分及び他方の側方部分にそれぞれ上方開口状に収集袋を収容した状態において、区画体側保持部により各収集袋の開口縁部付近を保持することができる。このように区画体の両側において収容腔部内に収容してそれぞれ保持した収集袋により、可燃ごみ、空缶、プラスチックごみ等の各種廃棄物等の分別収集を行うことができる。
【００１２】
分別収集装置と分別収集用区画体の何れの場合にも、廃棄物等を収容した収集袋を収容腔部から取り出すには、収容体側保持部及び区画体側保持部による収集袋の開口部の保持を解除した後、その収集袋を上方に引き上げることにより行うことができる。
【００１３】
ところが、区画体の両側の収集袋に廃棄物等の分別収集を行った場合、両収集袋に均等に廃棄物等が収集されるとは限らないので、両収集袋の上部は区画体により分離されていても、一方の収集袋の下部が他方側に膨出することが生じがちである。その場合、下部が他方側に膨出した収集袋を上方に引き上げようとすると、その膨出部分が区画体に引っ掛かり、収集袋の引き上げが妨げられるおそれがある。
【００１４】
しかしながら、前記区画体は、収容体における収容腔部の上部に架設された状態での側方への摺動が可能であるから、収容腔部の上部に架設された状態で区画体を側方へ摺動させることにより、前記のような膨出部分が区画体に引っ掛かるのを避けて、収集袋を引き上げて収容腔部から取り出すことができる。
【００１５】
また本発明の分別収集装置は、略Ｕ字状をなし、両基端部が区画体に回動可能に支持された回動枠状体を収容体側保持部として備え、その回動枠状体は、伏倒状態において収容体における収容腔部の上部周縁部付近に沿って位置して収集袋の開口縁部付近を収容体における収容腔部の上部周縁部付近との間で保持し得、前記回動枠状体を伏倒状態から上方に回動させることにより、前記のような収集袋の開口縁部付近の保持を解除することができるものとすることができる。或いは、本発明の分別収集装置は、略Ｕ字状をなし、両基端部が収容体に回動可能に支持された回動枠状体を収容体側保持部として備え、その回動枠状体は、伏倒状態において収容体における収容腔部の上部周縁部付近に沿って位置して収集袋の開口縁部付近を収容体における収容腔部の上部周縁部付近との間で保持し得、前記回動枠状体を伏倒状態から上方に回動させることにより、前記のような収集袋の開口縁部付近の保持を解除することができるものとすることができる。
【００１６】
これらの場合、収容腔部のうち前記所定位置における区画体の一方の側方部分に上方開口状に収集袋を収容し、収集袋の開口縁部付近を、収容体における収容腔部の上部周縁部付近と、伏倒させた回動枠状体との間に保持すると共に、区画体側保持部により保持することができる。
【００１７】
また、回動枠状体を伏倒状態から上方に回動させることにより、収集袋の開口縁部付近の保持を解除し、必要に応じ区画体を側方へ摺動させて、収集袋を引き上げて収容腔部から取り出すことができる。
【００１８】
更に、本発明の分別収集装置は、上記区画体が所定位置に位置し且つ回動枠状体が伏倒状態にある場合に区画体の前記側方摺動を阻止し得る移動阻止手段を、回動枠状体および／または収容体に備えるものとすることができる。
【００１９】
この場合、区画体が所定位置に位置し且つ回動枠状体が伏倒状態にある場合に、移動阻止手段により区画体の側方摺動を阻止して区画体を前記所定位置に保持することができる。
【００２０】
また更に、本発明の分別収集装置は、上記区画体側保持部が、固定挟圧部と、その固定挟圧部に対し開閉可能な可動挟圧部からなり、それらの固定挟圧部と可動挟圧部の間に収集袋の開口縁部付近を保持し得るものとすることができる。
【００２１】
この場合、固定挟圧部に対し可動挟圧部を開き、収集袋の開口縁部付近を固定挟圧部と可動挟圧部の間に鋏んで可動挟圧部を閉じることにより、前記収集袋の開口縁部付近を保持することができ、可動挟圧部を開くことにより、その保持を解除することができる。
【００２２】
また本発明の分別収集用区画体は、上記区画体が、上記収容腔部のうち上記所定位置に位置した場合の区画体の一方の側方部分及び他方の側方部分にそれぞれ上方開口状に収集袋を収容した状態において、各収集袋の開口縁部付近を、収容体における収容腔部の上部周縁部付近及び区画体においてそれぞれ保持し得る、収容体側保持部及び区画体側保持部を備えるものとすることができる。
【００２３】
この場合、収容腔部のうち前記所定位置における区画体の一方の側方部分及び他方の側方部分にそれぞれ上方開口状に収集袋を収容した状態において、収容体側保持部及び区画体側保持部により、各収集袋の開口縁部付近を、収容体における収容腔部の上部周縁部付近及び区画体においてそれぞれ保持することができる。
【００２４】
また本発明の分別収集用区画体は、略Ｕ字状をなし、両基端部が区画体に回動可能に支持された回動枠状体を収容体側保持部として備え、その回動枠状体は、伏倒状態において収容体における収容腔部の上部周縁部付近に沿って位置して収集袋の開口縁部付近を収容体における収容腔部の上部周縁部付近との間で保持し得、前記回動枠状体を伏倒状態から上方に回動させることにより、前記のような収集袋の開口縁部付近の保持を解除することができるものとすることができる。
【００２５】
更に本発明の分別収集用区画体は、上記区画体が所定位置に位置し且つ回動枠状体が伏倒状態にある場合に区画体の前記側方摺動を阻止し得る移動阻止手段を、回動枠状体に備えるものとすることができる。
【００２６】
また更に、本発明の分別収集用区画体は、上記区画体側保持部が、固定挟圧部と、その固定挟圧部に対し開閉可能な可動挟圧部からなり、それらの固定挟圧部と可動挟圧部の間に収集袋の開口縁部付近を保持し得るものとすることができる。
【発明の効果】
【００２７】
本発明の分別収集装置及び分別収集用区画体によれば、区画体の両側において収容腔部内に収容してそれぞれ保持した収集袋により、可燃ごみ、空缶、プラスチックごみ等の各種廃棄物等の分別収集を行うことができる。区画体は、収容体における収容腔部の上部に架設された状態での側方への摺動（すなわち、前記着脱及び摺動の一方又は両方）が可能であるから、収容腔部の上部に架設された状態で区画体を側方へ摺動させることにより、前記のような膨出部分が区画体に引っ掛かるのを避けて、収集袋を引き上げて収容腔部から取り出すことができる。
【発明を実施するための最良の形態】
【００２８】
本発明の実施の形態を、図面を参照しつつ説明する。
【００２９】
図面は何れも本発明の分別収集装置及び分別収集用区画体３０の実施の形態の一例、すなわち分別収集用区画体３０を備えた分別ゴミ箱に関する。図１は分別ゴミ箱の平面図、図２は分別ゴミ箱の側面図、図３は分別ゴミ箱の正面図である。
【００３０】
この分別ゴミ箱は、上方開口の収容腔部１０ａを備えた横断面方形状の箱状収容体１０（有底の収容体を使用することができる。横断面方形状に限るものではない。）と、分別収集用区画体３０と、仕切板６０からなる。
【００３１】
分別収集用区画体３０は、箱状収容体１０の相対する上端縁部１０ｂにそれぞれ上方から嵌合し得る（着脱可能でもよく、着脱不可能とすることもできる）下方開口の溝状嵌合部３２ａを両端に有し、箱状収容体１０に水平状に架設される直線状の区画体３２（尤も、直線状に限るものではない。）と、その区画体３２に設けられた、一対の回動枠状体３４（収容体側保持部）、及び区画体側保持部からなる。区画体３２は、箱状収容体１０の相対する上端縁部１０ｂ（好ましくは各上端縁部１０ｂの中央部）に架設することにより、収容腔部１０ａの上部を水平方向に区画することができる。
【００３２】
各回動枠状体３４は、矩形を構成する四辺のうち三辺からほぼなる略Ｕ字状をなし、両基端部３４ａが内向きに突出して区画体３２における両溝状嵌合部３２ａの上方部に設けられた嵌合孔に外側から嵌合し、回動可能に支持されている。このように区画体３２に支持された一対の回動枠状体３４は、それぞれ区画体３２の一方の側及び他方の側に伏倒した状態（図２の実線並びに図１及び図３に示す状態）において、箱状収容体１０における収容腔部１０ａの上端縁部１０ｂ上に位置し、その状態において、回動枠状体３４を構成する前記三辺のうち中央の一辺の中央部に設けられた移動阻止突部３４ｂは、上端縁部１０ｂに設けられた上方及び内方に開口する移動阻止凹部１０ｃに嵌合している。この例における両回動枠状体３４は同一であるが、これに限るものではない。なお、各回動枠状体３４は、例えば箱状収容体１０に回動可能に支持されるものであってもよい。
【００３３】
区画体側保持部は、区画体３２の上部が構成する固定挟圧部３２ｂと、可動挟圧部３６からなる。可動挟圧部３６は、断面溝形状をなし、区画体３２の一端部における両側に突起する支持突起３２ｄに対し可動挟圧部３６の一端部の両側壁に設けられた被支持孔が嵌合することにより、支持突起３２ｄを中心とした揺動により固定挟圧部３２ｂに対し開閉可能に構成され、固定挟圧部３２ｂに対し閉じた状態では、固定挟圧部３２ｂに対し可動挟圧部３６の下方開口（但し、可動挟圧部３６が水平に近い状態の場合）の溝形状部が上方から外嵌した状態となる。なお、例えば、固定挟圧部３２ｂを上方開口の溝形状とし、可動挟圧部３６をこの溝形状部に上方から内嵌し得るものとすることもできる。
【００３４】
区画体３２は、箱状収容体１０に架設された状態で側方への摺動が可能であるが、両回動枠状体３４が伏倒状態にあって移動阻止突部３４ｂが移動阻止凹部１０ｃに嵌合している場合、区画体３２は、箱状収容体１０のうち両溝状嵌合部３２ａが嵌合した両上端縁部１０ｂの中央部に位置することとなり、側方摺動は阻止される。また両回動枠状体３４における回動軸線から移動阻止突部３４ｂまでの半径を異ならせれば、区画体３２を両上端縁の中央部以外に位置させることができる。区画体３２の一方の側の回動枠状体３４が例えば立上状態（図２の二点鎖線）にあって移動阻止突部３４ｂが移動阻止凹部１０ｃに嵌合していない場合、その側方へ区画体３２を摺動させることができる。なお、例えば移動阻止凹部１０ｃを上方にのみ開口し、移動阻止突部３４ｂが上方から嵌合するものとすることにより、両回動枠状体３４の移動阻止突部３４ｂと移動阻止凹部１０ｃの嵌合を解除しなければ区画体３２の側方摺動は行い得ないものとすることができる。
【００３５】
収容腔部１０ａのうち、箱状収容体１０に架設した区画体３２の一方の側方部分及び他方の側方部分に、それぞれ上方開口状にプラスチックフィルム製の収集袋Ａ・Ｂを収容した状態において、各収集袋Ａ・Ｂの開口縁部付近を、伏倒状態の回動枠状体３４と箱状収容体１０の上端縁部１０ｂの間、並びに区画体３２の固定挟圧部３２ｂと可動挟圧部３６の間においてそれぞれ保持し得る。
【００３６】
区画体３２の下部には、仕切板６０の上端部を着脱可能に保持し得る保持部３２ｃを備えている。上端部の透孔が区画体３２の保持部３２ｃに保持された仕切板６０は、区画体３２が箱状収容体１０に架設された状態において、収容腔部１０ａにおける区画体３２の下方部を水平方向に仕切るものである。保持部３２ｃは、下端突部が仕切板６０に対し側方に弾性的に開閉し得、その下端突部が透孔に嵌合することにより仕切板６０を保持し得るものである。なお、この場合の仕切板６０は、保持部３２ｃに保持された基部の若干の揺動および／または仕切板６０の撓みにより傾斜可能なものである。
【００３７】
箱状収容体１０の相対する上端縁部１０ｂの中央部に架設された区画体３２の両側において収容腔部１０ａ内に収容してそれぞれ保持した収集袋Ａ・Ｂにより、可燃ごみ、空缶、プラスチックごみ等の各種廃棄物等の分別収集を行うことができる。
【００３８】
廃棄物等を収容した収集袋Ａ・Ｂを収容腔部１０ａから取り出すには、回動枠状体３４並びに分別収集用区画体３０の固定挟圧部３２ｂと可動挟圧部３６による収集袋Ａ・Ｂの開口部の保持を解除した後、その収集袋Ａ・Ｂを上方に引き上げることにより行うことができる。
【００３９】
区画体３２の両側の収集袋Ａ・Ｂに廃棄物等の分別収集を行った場合、両収集袋Ａ・Ｂに不均等に廃棄物等が収集されると、両収集袋Ａ・Ｂの上部は区画体３２により分離され、下部に仕切板６０があっても、仕切板６０は傾斜可能なものであるため、一方の収集袋Ａの下部が他方側に膨出することになりがちである。その場合、下部が他方側に膨出した収集袋Ａを上方に引き上げようとすると、その膨出部分Ａ１が区画体３２に引っ掛かり、収集袋Ａの引き上げが妨げられるおそれがある。
【００４０】
しかしながら、一方の回動枠状体３４を上方に回動させて移動阻止突部３４ｂと移動阻止凹部１０ｃの嵌合を解除し、区画体３２を、箱状収容体１０の相対する上端縁に架設された状態で側方へ摺動させることにより、前記のような膨出部分Ａ１が区画体３２に引っ掛かるのを避けて、収集袋Ａを引き上げて収容腔部１０ａから取り出すことができる。
【００４１】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００４２】
【図１】分別ゴミ箱の平面図である。
【図２】分別ゴミ箱の側面図である。
【図３】分別ゴミ箱の正面図である。
【符号の説明】
【００４３】
１０      箱状収容体
１０ａ    収容腔部
１０ｂ    上端縁部
１０ｃ    移動阻止凹部
３０      分別収集用区画体
３２      区画体
３２ａ    溝状嵌合部
３２ｂ    固定挟圧部
３２ｃ    保持部
３２ｄ    支持突起
３４      回動枠状体
３４ａ    基端部
３４ｂ    移動阻止突部
３６      可動挟圧部
６０      仕切板
Ａ        収集袋
Ｂ        収集袋
Ａ１      膨出部分
【図１】
2005104698.tif 000003
【図２】
2005104698.tif 000004
【図３】
2005104698.tif 000005